(57)【要約】      （修正有）【課題】小型腕時計のためのエルゴノミックなリワインドシステムを提供する。【解決手段】エネルギーを供給する押し部品１を内側でガイドするシートを有する計時器用ケース。押し部品は、弾性戻し手段１５に対抗する圧力によって操作することができ、駆動手段３０と一体化されている制御メンバー２を有する。押し部品とケースの一方には、平坦なカムトラック１８があり、その他方には、ピボット１９があり、ピボットのまわりを、トラック１８の輪郭に追従するピンを担持しているアーム１７が回転する。トラックには、ピボットの方を向いておりピンの安定位置を定める肘部と、傾斜ランプがあり、傾斜ランプは、待機位置にあるときに制御メンバーに圧力が与えられると、ガイドピンが安定位置から外れるようにし、かつ、弾性戻し手段の作用の下で、ガイドピンが別の安定位置の方へと動く。【選択図】図９
2019095440.tif 000002
【特許請求の範囲】
【請求項１】
機構をリワインド又はリセットし、あるいは格納手段、機構又はユーザー回路にエネルギーを供給する押し部品（１）を内側でガイドする少なくとも１つのシート（２６）を有する計時器用ケース（２０）であって、
前記押し部品（１）は、弾性戻し手段（１５）に対抗するように固有な直線状の軌道に沿って動くことができ、前記弾性戻し手段（１５）に対抗するようにユーザーが与える圧力によって少なくとも前記直線状の軌道の方向に沿って操作されるように構成しており駆動手段（３０）と一体化されている制御メンバー（２）を有し、
前記押し部品（１）と前記ケース（２０）の一方には、閉じた平坦なカムトラック（１８）があり、
前記押し部品（１）と前記ケース（２０）の他方には、その前記押し部品（１）と前記ケース（２０）の他方に固定されたピボット（１９）のまわりを回転する回転アーム（１７）の端において、前記カムトラック（１８）の輪郭に追従するように構成しているガイドピン（１６）があり、
前記回転アーム（１７）は、前記カムトラック（１８）と平行な平面内にて回転するように構成しており、
前記カムトラック（１８）には、前記ピボット（１９）の方を向いており前記制御メンバー（２）の安定位置に対応する前記ガイドピン（１６）の安定位置（２３、２４）を定める少なくとも２つの肘部があり、
前記カムトラック（１８）の輪郭には、傾斜ランプがあり、この傾斜ランプは、前記安定位置（２３、２４）に対応する待機位置にあるときに前記制御メンバー（２）に圧力が与えられると、前記ガイドピン（１６）が前記安定位置（２３、２４）から外れて、かつ、前記弾性戻し手段（１５）の作用の下で、前記ガイドピン（１６）が別の安定位置（２４、２３）の方へと動くことを可能にするように構成している
ことを特徴とするケース（２０）。
【請求項２】
前記カムトラック（１８）の輪郭は、前記カムトラック（１８）に沿った一方向のみにトラベル経路に追従することを前記ガイドピン（１６）に強いるように構成している
ことを特徴とする請求項１に記載のケース（２０）。
【請求項３】
前記少なくとも２つの肘部どうしは、前記軌道に沿って前記ピボット（１９）に対して横断方向にオフセットされている
ことを特徴とする請求項１に記載のケース（２０）。
【請求項４】
前記カムトラック（１８）には、
前記押し部品（１）のトラベル経路の軸方向の端に対応する第１の安定位置（２３）と、第１の不安定位置（２１）との間にある、前記制御メンバー（２）に対してユーザーが与える圧力を受けて前記ガイドピン（１６）が動く第１の区画（Ｃ）と、
前記第１の不安定位置（２１）と第２の安定位置（２４）の間にある、前記弾性戻し手段（１５）の作用の下で前記ガイドピン（１６）が動く第２の区画（Ｄ）と、
前記第２の安定位置（２４）と第２の不安定位置（２２）の間にある、ユーザーが前記制御メンバー（２）に与える圧力を受けて前記ガイドピン（１６）が動く第３の区画（Ａ）と、及び
前記第２の不安定位置（２２）と前記第１の安定位置（２３）の間にある、前記弾性戻し手段（１５）の作用の下で前記ガイドピン（１６）が動く第４の区画（Ｂ）とがある
ことを特徴とする請求項１に記載のケース（２０）。
【請求項５】
回転アーム（１７）は、自由に回転し、その回転運動は、互いに対する相対的な動きの間の前記カムトラック（１８）と前記ピボット（１９）の相対的位置によって発生する
ことを特徴とする請求項１に記載のケース（２０）。
【請求項６】
前記回転アーム（１７）は、自由に回転し、その回転運動は、互いに対する相対的な動きの間の前記カムトラック（１８）と前記ピボット（１９）の相対的位置によって発生し、双安定ばね（４３）の支持力を受ける
ことを特徴とする請求項１に記載のケース（２０）。
【請求項７】
前記直線状の軌道は、平坦である
ことを特徴とする請求項１に記載のケース（２０）。
【請求項８】
前記直線状の軌道は、線形な方向（ＤＬ）に追従する
ことを特徴とする請求項７に記載のケース（２０）。
【請求項９】
前記駆動手段（３０）は、前記ケース（２０）にある入力車（３１）と連係するように構成している少なくとも１つのラックを有する
ことを特徴とする請求項１に記載のケース（２０）。
【請求項１０】
前記弾性戻し手段（１５）は、チャンバー内に収容され又は前記ケース（２０）内に収容されたチューブ（１２）内に収容された少なくとも１つのらせん状のばねを有し、このらせん状のばねは、このらせん状のばねのための軸方向のガイドとなる止め（１３）に正面が支えられる
ことを特徴とする請求項１に記載のケース（２０）。
【請求項１１】
前記弾性戻し手段（１５）は、前記ケース（２０）とカバー（４２）の間に収容される少なくとも１つのらせん状のばねを有し、このらせん状のばねは、前記弾性戻し手段（１５）の２つの遠位端において、一方では、前記駆動手段（３０）と一体的にマウントされた第１の支持ラグ（３７）によって、他方では、前記ケース（２０）に固定された第２の支持ラグ（１３０）によって、保持される
ことを特徴とする請求項１に記載のケース（２０）。
【請求項１２】
前記押し部品（１）は、ラック（３０）と、前記カムトラック（１８）と、及び前記弾性戻し手段（１５）をガイドする第１の支持ラグ（４７）とが組み入れられている実質的に平坦なプレート（９）を有する
ことを特徴とする請求項１に記載のケース（２０）。
【請求項１３】
前記プレート（９）には、さらに、前記ケース（２０）の平面に垂直に設けられ前記ケース（２０）に形成されたオブロング状の溝（４８、４９）内をガイドされる２つのピン（４４、５９）があり、
前記プレート（９）は、前記制御メンバー（２）の一端と連係する接続プレート（４１）を固定する固定手段を有する
ことを特徴とする請求項１２に記載のケース（２０）。
【請求項１４】
前記接続プレート（４１）には、前記制御メンバー（２）の端に設けられたボス（５２）に対して相補的な輪郭を有する開口（５１）があり、このボス（５２）は、前記制御メンバー（２）と前記ラック（３０）の平行な構成を確実にするような形を有する
ことを特徴とする請求項１３に記載のケース（２０）。
【請求項１５】
前記押し部品（１）は、実質的に平坦なプレート（９）を有し、このプレート（９）に前記カムトラック（１８）が形成される
ことを特徴とする請求項１に記載のケース（２０）。
【請求項１６】
前記押し部品（１）には、少なくとも１つのシール（８）を受ける少なくとも１つの溝（７）がある円筒状部分（６）があり、
このシール（８）は、前記押し部品（１）のトラベル経路の全体に沿って、前記ケース（２０）の前記シート（２６）に形成された円筒状のボア穴と接触する
ことを特徴とする請求項１に記載のケース（２０）。
【請求項１７】
請求項１に記載のケース（２０）を有する腕時計（１００）であって、
前記ケース（２０）の入力車（３１）が、機構又はエネルギー変換及び／又は格納手段と連係する
ことを特徴とする腕時計（１００）。
【請求項１８】
前記押し部品（１）によって操作されるミニッツリピーター機構を有する
ことを特徴とする請求項１７に記載の腕時計（１００）。
【請求項１９】
少なくとも１つのエネルギー格納バレルと、及び前記入力車（４１）と前記少なくとも１つのエネルギー格納バレルの間にある少なくとも１つの歯止めとを有する
ことを特徴とする請求項１７に記載の腕時計（１００）。
【請求項２０】
前記押し部品（１）を複数有する
ことを特徴とする請求項１７に記載の腕時計（１００）。
【発明の詳細な説明】
【技術分野】
【０００１】
本発明は、機構をリワインド又はリセットし、あるいは格納手段、機構又はユーザー回路にエネルギーを供給する押し部品を内側でガイドする少なくとも１つのシートを有する計時器用ケースに関する。前記押し部品は、弾性戻し手段に対抗するように固有な直線状の軌道に沿って動くことができ、前記弾性戻し手段に対抗するようにユーザーが与える圧力によって少なくとも前記直線状の軌道の方向に沿って操作されるように構成しており駆動手段と一体化されている制御メンバーを有する。
【０００２】
本発明は、さらに、前記のようなケースを有し機構又はエネルギーを変換及び／又は格納する手段と連係する入力車を有するような、計時器、特に、腕時計、に関する。
【背景技術】
【０００３】
リュウズを用いて小型腕時計をリワインドすることは、特に、女性向け腕時計やウルトラスリム腕時計の場合に、厄介であることが多い。ユーザーの爪が長いと、この操作がさらに難しくなる。
【発明の概要】
【発明が解決しようとする課題】
【０００４】
本発明は、腕時計ケース内の空間を最小限しか占めない、小型腕時計のためのエルゴノミックなリワインドシステムを提供することを提案するものである。これは、タイマーやミニッツリピーターをアクティベートすることやスピンドルを変えたりすることのような腕時計の他の機能を行うことに適していることができる。
【課題を解決するための手段】
【０００５】
このために、本発明は、請求項１に記載の計時器用ケースに関する。
【０００６】
本発明は、さらに、このようなケースを有する計時器、特に、腕時計、に関する。
【０００７】
添付の図面を参照しながら下の詳細な説明を読むことで、本発明のさらなる特徴や利点が明確になるであろう。
【図面の簡単な説明】
【０００８】
【図１】押し部品が線形のトラベル経路を描く特定の変種（これに限定されない）における本発明に係る腕時計ケース及びその押し部品について、押し部品の軸に沿った長手方向の断面を部分的に略して描いている図である。
【図２】この押し部品の完全な運動学的な動作サイクルを図１と同様な形態で示している。
【図３】この押し部品の完全な運動学的な動作サイクルを図１と同様な形態で示している。
【図４】この押し部品の完全な運動学的な動作サイクルを図１と同様な形態で示している。
【図５】この押し部品の完全な運動学的な動作サイクルを図１と同様な形態で示している。
【図６】この押し部品の完全な運動学的な動作サイクルを図１と同様な形態で示している。
【図７】前の図に描かれた押し部品にあるカムトラックの詳細の平面図である。このカムトラックは、ケースに固定されたピボットのまわりを回転するヒンジ付けされたアームの端に位置しているガイドピンのトラベル運動を可能にするように構成している。
【図８】このようなケースを有する腕時計の平面図である。
【図９】図９〜２０は、図１〜８と同じ原理に基づく別の構造上の設計の詳細の斜視図である。図９は、透明な形態で示しているカバーが本発明に係る押し部品機構を囲んでいるような腕時計ケースを上方から見た斜視図を示している。この腕時計ケースにおいては、ユーザーが接続プレートを操作する部分を内部機構に連結しており、この内部機構の回転アームがケースの側に収容されたジャンパーと連係している。
【図１０】図９と同様に上方から見た斜視図であり、カバーと接続プレートが分解されている。
【図１１】接続プレートの領域の拡大図である。
【図１２】ラックとカムトラックを備える平坦なプレート用のガイドシステムを下方から見た斜視図である。
【図１３】回転アームと、ジャンパーと接触するその後部領域を示している。
【図１４】接続プレートを示している。
【図１５】上方から見た斜視図であり、ラックとカムトラックとともに平坦なプレートを示しており、これは、ばねをガイドする第１の支持ラグを有しており、その上に接続プレートが固定されている。
【図１６】制御メンバーと接続プレートのアセンブリーの詳細図である。
【図１７】ばねをその２つの端において支持ラグによって保持する様子を示しており、その一方が平坦なプレートと一体化されており、その他方がケース内にてマウントされている。
【図１８】平坦なプレート自身を上方から見た図である。
【図１９】平坦なプレート自身を下方から見た図である。
【図２０】この押し部品を受けるように構成しているケースの底部を示している。
【図２１】組み立てと調整を促進する改善された腕時計ケースの１つの変種を図９〜２０と同様な形態で示している。
【図２２】組み立てと調整を促進する改善された腕時計ケースの１つの変種を図９〜２０と同様な形態で示している。
【図２３】組み立てと調整を促進する改善された腕時計ケースの１つの変種を図９〜２０と同様な形態で示している。
【図２４】組み立てと調整を促進する改善された腕時計ケースの１つの変種を図９〜２０と同様な形態で示している。
【図２５】組み立てと調整を促進する改善された腕時計ケースの１つの変種を図９〜２０と同様な形態で示している。
【図２６】組み立てと調整を促進する改善された腕時計ケースの１つの変種を図９〜２０と同様な形態で示している。
【図２７】組み立てと調整を促進する改善された腕時計ケースの１つの変種を図９〜２０と同様な形態で示している。
【図２８】組み立てと調整を促進する改善された腕時計ケースの１つの変種を図９〜２０と同様な形態で示している。
【図２９】組み立てと調整を促進する改善された腕時計ケースの１つの変種を図９〜２０と同様な形態で示している。
【図３０】組み立てと調整を促進する改善された腕時計ケースの１つの変種を図９〜２０と同様な形態で示している。
【図３１】組み立てと調整を促進する改善された腕時計ケースの１つの変種を図９〜２０と同様な形態で示している。
【図３２】組み立てと調整を促進する改善された腕時計ケースの１つの変種を図９〜２０と同様な形態で示している。
【発明を実施するための形態】
【０００９】
本発明は、計時器、特に、腕時計、のケース２０に関する。
【００１０】
このケース２０は、内部で押し部品１をガイドして、特に（これに限定されない）、機構をリワインド又はリセットし、あるいは格納手段、機構又はユーザー回路にエネルギーを供給する、少なくとも１つのシート２６を有する。
【００１１】
この押し部品１は、弾性戻し手段１５に対抗するように固有な直線状の軌道に沿って動くことができ、リュウズのような制御メンバー２を有し、この制御メンバー２は、ユーザーが与える圧力によって少なくとも直線状の軌道に沿って弾性戻し手段１５に対抗するように操作されるように構成している。
【００１２】
いくつかの変種（図示せず）において、制御メンバー２は、回転によって操作することができ、又は同軸の二次メンバーを有することができる。この二次メンバーを、並進運動可能に及び／又は回転によって、操作することができる。
【００１３】
この制御メンバー２は、計時器の消費者向け機能のための運動及び／又はエネルギーを供給するように駆動手段３０と一体化されている。
【００１４】
本発明によると、押し部品１とケース１０の一方は、閉じた平坦なカムトラック１８を有する。また、押し部品１とケース１０の他方は、その押し部品１とケース１０の他方に固定されたピボット１９のまわりを回転するアーム１７の端において、カムトラック１８の輪郭に追従するように構成しているガイドピン１６を有する。
【００１５】
この回転アーム１７は、カムトラック１８と平行な平面内にて回転するように設計されている。
【００１６】
カムトラック１８には、ピボット１９の方を向いている少なくとも２つの肘部があり、これは、制御メンバー２の安定位置に対応するガイドピン１６の安定位置２３、２４を定める。
【００１７】
本発明は、このような肘部が２つあり２つの安定位置があるような形態で図面に描かれている（これに限定されない）。
【００１８】
カムトラック１８の輪郭には、傾斜ランプがある。この傾斜ランプは、制御メンバー２が待機位置（各待機位置は安定位置２３、２４に対応している）にあるときに制御メンバー２に何らかの圧力が与えられると、ガイドピン１６がこの安定位置２３、２４から外れて、かつ、弾性戻し手段１５の作用の下でガイドピン１６が別の安定位置２４、２３の方へと動くことを可能にするように構成している。
【００１９】
特に、カムトラック１８の輪郭は、カムトラック１８に沿った一方向にのみトラベル経路に追従することをガイドピン１６に強いるように構成している。
【００２０】
好ましくは、互いに対する運動の間にカムトラック１８に対してガイドピン１６が位置を変えることを容易にするために、図７に示しているように、これらの少なくとも２つの肘部どうしは、軌道に沿ってピボット１９に対して横断方向にオフセットされている。
【００２１】
この図７は、カムトラック１８に以下があるような特定の実施形態（これに限定されない）を示している。すなわち、
−  押し部品１のトラベル経路の軸方向の端に対応する第１の安定位置２３と第１の不安定位置２１の間にある、ユーザーが制御メンバー２に与える圧力を受けてガイドピン１６が動く第１の区画Ｃ
−  第１の不安定位置２１と第２の安定位置２４の間にある、弾性戻し手段１５の作用の下でガイドピン１６が動く第２の区画Ｄ
−  第２の安定位置２４と第２の不安定位置２２の間にある、ユーザーが制御メンバー２に与える圧力を受けてガイドピン１６が動く第３の区画Ａ
−  第２の不安定位置２２と第１の安定位置２３の間にある、弾性戻し手段１５の作用の下でガイドピン１６が動く第４の区画Ｂ
である。
【００２２】
トラベル経路Ｃ及びＡに対応している図における黒い矢印は、ユーザーが制御メンバー２に与える圧力を受けた運動を示しており、トラベル経路Ｄ及びＢに対応している白い矢印は、弾性戻し手段１５の作用の下で行われる運動を示している。このことは図３〜６に対しても適用可能であり、図３〜６はそれぞれ、図２に示している待機位置からの異なるトラベル経路Ａ、Ｂ、Ｃ及びＤを示している。押し部品１の２つの安定位置は、ケース２０の基準面に対する、制御メンバー２の端の延びＬ１及びＬ３に対応しており、図３及び５に示している不安定な遷移的位置は、延びＬ２に対応している。これらの値は、カムトラック１８の輪郭の形に依存して、互いに異なる値を有することができる。カムトラック１８の輪郭は、図７に示している例において、一方では、第１の安定位置２３と第１の不安定位置２１の間にて、そして、他方では、第１の安定位置２３と第２の不安定位置２２の間にて、縦方向の間隔が同じである。しかし、この間隔は異なっていてもよい。図７において、区画Ｃには、屈折位置２７がある反対方向の２つの傾斜ランプがあり、区画Ｂには、ストレート部分があり、その後に、屈折位置２５を通り抜けた後に、傾斜ランプがある。
【００２３】
特に、回転アーム１７は、自由に回転し、その回転運動は、互いに対する相対的な動きの間のカムトラック１８とピボット１９の相対的位置に起因する。
【００２４】
特に、図面の場合のように、直線状の軌道は平坦である。
【００２５】
さらに、特に、直線状の軌道は、線形な方向ＤＬに追従する。
【００２６】
特に、駆動手段３０は、ケース２０が備える入力車３１と連係するように構成している少なくとも１つのラックを有する。
【００２７】
図示していない別の変種において、この駆動手段は、ロッカアームなどをアクチュエートさせる単純なフィンガー、摩擦要素、ばねなどであることができる。
【００２８】
特に、図示している経済的な設計において、弾性戻し手段１５は、少なくとも１つのらせん状のばねを有し、これは、チャンバー内に、又はケース２９のボア穴内に収容されたチューブ１２内に、収容される。このらせん状のばね、このらせん状のばねのための軸方向のガイドとなる止め１３に正面が支えられる。図示した変種において、図１においては、このようなチューブ１２がケース２０のボア穴内にあり、このチューブ１２は、押し部品１の構造的要素にねじ１１によって固定されたアングルブラケットと一体化されており、チューブ１２には、好ましくは、空気を排出させるためのボア穴などがある。図面に示している止め１３は、ケースのボア穴の内部に据え付けられたストッパーによって構成しており、これは、ばねのための内側の軸方向のガイドを有する（これに限定されない）。別の変種においては、ケース２０内に形成された前側溝内にばねを据え付けることを伴う。押し部品の軌道が線形である変種において、制御メンバー２とチューブ１２の間の正確な整列を確実にすることが重要である。
【００２９】
特に、押し部品１には、実質的に平坦なプレート９がある。このプレート９にはカムトラック１８が形成されており、このプレート９は、このような構造的要素によって構成しており、制御メンバー２に別のねじ１０によって固定されている。
【００３０】
特に、押し部品１には、この制御メンバー２の領域に、円筒状部分６がある。この円筒状部分６には、少なくとも１つのシール８を受ける少なくとも１つの溝７がある。このシール８は、押し部品１のトラベル経路全体に沿って、ケース２０のシート２６に形成された円筒状のボア穴と接触する。
【００３１】
図９〜２１は、組み立てと分解が容易になるように構成しているためにわずかに部品数が多くなっている別の構造上の変種を示している。
【００３２】
この変種（これに限定されない）は、回転レバー１７の安定性を改善させるために、回転レバー１７の後部輪郭５６に作用するジャンパー４３である双安定ばねを有する。この後部輪郭５６は、オス型の実質的にＶ字形を有する。
【００３３】
以下のような他の代替的手法も、回転レバー１７の安定性の改善に好都合であることがある。すなわち、軸に沿った高分子ガスケットなどによる摩擦、刻み目、金属箔の挿入、側方摩擦ばね、双安定ばねである。
【００３４】
ここで、駆動手段３０には、さらに、ラックがある。実質的に平坦なプレート９の形態の単一の部品には、このラック３０と、カムトラック１８と、及び弾性戻し手段１５をガイドする第１の支持ラグ４７とが組み入れられている。この弾性戻し手段１５は、この場合においても、少なくとも１つのらせん状のばねによって構成している。このらせん状のばねは、その他端において、ケース２０のボア穴５８内にて据え付けられた第２の支持ラグ１３０によってガイドされる。また、プレート９にはピン４４があり、このピン４４は、ケース２０の平面内にて延在する第１の支持ラグ４７に垂直に、プレート９の平坦部の両側に延びる。シート５５は、接続プレート４１に形成された穴５３を通して、プレート９に接続プレート４１を固定するペグ又はねじ４６を受けるように意図されている。このプレート９は、接続プレート４１のボア穴５４内にてピン４４によって配置される。
【００３５】
この接続プレート４１には、ボス５２の形とは相補的な形の輪郭を有する開口５１がある。このボス５２は、ここでは、制御メンバー２の円筒状部分６の端に設けられている。開口５１とボス５２は、ここでは、実質的に正方形であり、これによって、押し部品１のステム２とラックとの平行な配置を確実にする。そこで、ボス５２に形成された雌ねじの内側に固定されるねじ４５によって互いにロックされる。このような状況で、円筒状部分２を非常に短くすることができ、組み立てが非常に容易になる。
【００３６】
ピン４４の底部は、ケース２０に形成された第１のオブロング状の溝４８と有利に連係する。反対側においては、プレート９と一体的な別のピン５９が、ケース２０の第２のオブロング状の溝４９の内側で滑る。もちろん、逆のガイド構成も可能であるが、より多くの空間が必要となる。
【００３７】
カバー４２ないし補強ブリッジは、様々な部品の遊びを制限し、特に、ばね１５のいずれのゆがみをも防ぐ。
【００３８】
図２１〜３０は、図９〜２０と同様な形態で、以下のように変更された、組み立てと調整を容易にする改善された腕時計ケースの変種を示している。
−  回転レバー１７は、ピボット１９の延長上に支持ラグ１９０を設け、オブロング状の開口１７１を介してアクセス可能なボア穴１７０を設けることによって変更されている。
−  第１の支持ラグ４７は短くされ、第２の支持ラグ１３０は、長くなった設計のもの４７０によって置き換わっている。
−  接続プレート４１は、ピン４４の位置とステムの軸が互いに近くなり、長くなった開口４１０によって開口５１を置き換えるように変更されている。
−  アパーチャー３１０が設けられ、入力車３１へのアクセスを可能にしている。
−  コレクター４２５が変更され、単一の歯を有する。
−  第１のオブロング状のアパーチャーがロケータ４８０とともに変更されている。
【００３９】
本発明は、さらに、前記のようなケース２０を有し、このケース２０の入力車３１が機構又はエネルギー変換及び／又は格納手段と連係するような、計時器、特に、腕時計１００、に関する。
【００４０】
１つの変種において、腕時計１００は、押し部品１によって操作されるミニッツリピーター機構を有し、これは、通常のトリガー部品に対する好ましい代わりとなる。
【００４１】
別の変種において、腕時計１００は、少なくとも１つのエネルギー格納バレルと、及び入力車３１と前記少なくとも１つのバレルの間の少なくとも１つの歯止めとを有する。
【００４２】
別の変種において、腕時計１００は、押し部品１を複数有する。
【００４３】
本発明によってたくさんの可能性が与えられる。
【００４４】
リワインド機能のために用いられる場合、本発明は、女性向け腕時計、小型腕時計、ウルトラスリム腕時計などの操作を非常に容易にする。
【００４５】
本発明のおかげで、ムーブメントによって占められる空間が減る。これは、特に、実質的に平坦な制御機構を用いることに起因している。
【符号の説明】
【００４６】
１  押し部品
２  制御メンバー
６  円筒状部分
７  溝
８  シール
９  プレート
１２  チューブ
１３  止め
１５  弾性戻し手段
１６  ガイドピン
１７  回転アーム
１８  カムトラック
１９  ピボット
２０  ケース
２１  第１の不安定位置
２２  第２の不安定位置
２３  第１の安定位置
２４  第２の安定位置
２６  シート
３０  駆動手段
３０  ラック
３１  入力車
３７、４７  第１の支持ラグ
４１  接続プレート
４２  カバー
４３  双安定ばね
４４、５９  ピン
４８、４９  オブロング状の溝
５１  開口
５２  ボス
１００  腕時計
１３０  第２の支持ラグ
Ａ  第３の区画
Ｂ  第４の区画
Ｃ  第１の区画
Ｄ  第２の区画
【図１】
2019095440.tif 000003
【図２】
2019095440.tif 000004
【図３】
2019095440.tif 000005
【図４】
2019095440.tif 000006
【図５】
2019095440.tif 000007
【図６】
2019095440.tif 000008
【図７】
2019095440.tif 000009
【図８】
2019095440.tif 000010
【図９】
2019095440.tif 000011
【図１０】
2019095440.tif 000012
【図１１】
2019095440.tif 000013
【図１２】
2019095440.tif 000014
【図１３】
2019095440.tif 000015
【図１４】
2019095440.tif 000016
【図１５】
2019095440.tif 000017
【図１６】
2019095440.tif 000018
【図１７】
2019095440.tif 000019
【図１８】
2019095440.tif 000020
【図１９】
2019095440.tif 000021
【図２０】
2019095440.tif 000022
【図２１】
2019095440.tif 000023
【図２２】
2019095440.tif 000024
【図２３】
2019095440.tif 000025
【図２４】
2019095440.tif 000026
【図２５】
2019095440.tif 000027
【図２６】
2019095440.tif 000028
【図２７】
2019095440.tif 000029
【図２８】
2019095440.tif 000030
【図２９】
2019095440.tif 000031
【図３０】
2019095440.tif 000032
【図３１】
2019095440.tif 000033
【図３２】
2019095440.tif 000034